(57)【要約】【課題】  洗面台の近傍に簡単に安定して取り付けて衛生的に使用でき、しかも、その歯ブラシ類の保持状態で保持する角度を自由に調整できて、小さなスペース空間でも用いることができる歯ブラシ類のホルダ具を提供する。【解決手段】    取り付け土台に固定されて立ち上がる小枝状支持杆１４と、小枝状支持杆の上端側に設けられ歯ブラシ類を係止させるホルダ部１６と、を含み、小枝状支持杆の中間位置に屈曲自在曲がり部２０を設ける。さらに、ホルダ部は、小枝状支持杆の上端側に接続されたホルダ本体と、ホルダ本体に連接されて少なくとも歯ブラシの軸部を抜き差し自在に受け入れ、かつ差込時に弾性的に挟みつけ状に保持する１または複数対の挟持杆を有する。ホルダ部で歯ブラシ類を保持した状態で、屈曲自在曲がり部を介してホルダ部側の方向や角度を任意に変向設定できる。【選択図】図１                          
2005304878.tif 000002
【特許請求の範囲】
【請求項１】
取り付け土台に固定されて立ち上がる小枝状支持杆と、
小枝状支持杆の上端側に設けられ歯ブラシ類を係止させるホルダ部と、を含み、
小枝状支持杆の中間位置に屈曲自在曲がり部を設けたことを特徴とする歯ブラシ類のホルダ具。
【請求項２】
ホルダ部は、小枝状支持杆の上端側に接続されたホルダ本体と、ホルダ本体に連接されて少なくとも歯ブラシの軸部を抜き差し自在に受け入れ、かつ差込時に弾性的に挟みつけ状に保持する一対または複数対の挟持杆を有することを特徴とする歯ブラシ類のホルダ具。
【請求項３】
挟持杆はホルダ本体から平行状に突設した２個の小杆と、これらの各小杆に設けられた規制突部と、を含むことを特徴とする請求項２記載の歯ブラシ類のホルダ具。
【請求項４】
ホルダ本体は小枝状支持杆の上端側に一体的に接続された細長片台からなることを特徴とする請求項２または３記載の歯ブラシ類のホルダ具。
【請求項５】
取り付け土台は、洗面台の任意位置に脱着自在な吸盤部材からなる請求項１ないし４のいずれかに記載の歯ブラシ類のホルダ具。
【請求項６】
取り付け土台に固定されて立ち上がる小枝状支持杆と、
小枝状支持杆の上端側に設けられ歯ブラシ類を係止させるホルダ部と、を含み、
ホルダ部は、小枝状支持杆の上端側に接続されたホルダ本体と、ホルダ本体に連接されて少なくとも歯ブラシの軸部を抜き差し自在に受け入れ、かつ差込時に弾性的に挟みつけ状に保持する一対または複数対の挟持杆を有することを特徴とする歯ブラシ類のホルダ具。
【発明の詳細な説明】
【技術分野】
【０００１】
本発明は、歯ブラシ、歯間ブラシ等のホルダ具に関し、特に歯ブラシ類のみでなく、洗面台回りでの花等の装飾品等の陳列支持用としても適用可能な歯ブラシ類のホルダ具に関する。
【背景技術】
【０００２】
食後の歯磨きは、面倒で煩雑な作業ではあるが歯周病、歯槽膿漏予防、口内の衛生保持等のために不可欠である。従来、歯ブラシは毎食後などに使用することから洗面台の正面開きケース内に歯ブラシの柄を立てる複数の穴を穿孔させた歯ブラシ立てを設置したり、同様の構造の歯ブラシ立てを洗面台のシンク横の台部に配置させたり、あるいは、簡易にコップにブラシ部を上部にして反転状態で歯ブラシをランダムに立てたりして使用に供していた。ところが、洗面台の正面開きケース自体が設置されていないような洗面台では、歯ブラシ立てが使用できず、結局コップ等を代用する場合が多く、複数人の使用では相互にブラシ部が接触して不衛生であるとともに、来客時などでは体裁を損なう場合が多い。また、洗面台のシンク周りは通常はそれほどの贅沢な余分なスペースが設けられず、そのわりには櫛、せっけん、シャンプー、整髪剤、髭剃り、クリーム類など常備すべき必需品は多い。また、シンク横の台部に歯ブラシ立てを配置させるにしても、歯ブラシ立てはケース状に構成されている場合が多く、しかも歯ブラシの長い柄部を立てて保持させるための長孔部分を有するものが多い。そして、歯ブラシ立て自体は単に歯ブラシを立てた状態で保持するだけであるから、長孔部の底部などに塵や埃が滞留しやすく、また歯ブラシ立ての表面全体についてカビが発生しやすく、これらの汚れた部分は簡単に除去して磨くことが困難である。これは、例えば、流し台の近くの壁面などに固定的に歯ブラシ立てを設置した場合などでも同じ状況であり、その清掃に窮する。さらに、歯ブラシ立ては一般にその安定性のために洗面台やシンク周りに配置させるにしては大型になりやすく、スペース効率が悪いという問題があった。また、近時は、電動歯ブラシの替え歯ブラシや、歯間ブラシ、糸状の楊枝などの付属部品が多くなり、それらを衛生的な状態で仮置きする場所がないという問題がある。一方、シンクの近くなどに歯ブラシ立てを簡易に取り付けられると良いが、洗面時に蛇口の近くに顔を近づける動作や、洗面台やシンクの清掃時などに邪魔になってしまう。また、洗面台周りはせっけん箱や歯ブラシ立て等の品物が配置される場合が多く、無機質であり、心を豊かにさせるような花などの装飾を施すものがなかった。これは、前述のように花瓶等を配置させるためのスペースの余裕がない点が大きい。さらに、歯磨き動作時には、洗顔を同時に行う場合が多いが、その際、眼鏡や、指輪、アンクレット、ネックレスその他の小物を身体から外して行う場合が多いが、仮置き場所に困り、ポケットやバッグ等に急場に収納させた状態で行う場合が多いが、その際に、身体に付け忘れたり、収納場所から探し出せなくて紛失したものと錯覚したりする問題が多かった。
【０００３】
従来、歯ブラシ立てに関し、例えば、特開平１０−１５５６３８号、特開２００２−２３８７８６号並びに特開平１０−３３７２１９号に示すようなものが提案されている。特開平１０−１５５６３８号は、台部の一縁から歯ブラシ嵌合溝を形成し、該嵌合溝の周囲に堤部を形成して、歯ブラシの下部が台部に接触しないようにしたものである。また、特開２００２−２３８７８６号は、ハンガーと歯ブラシの柄端部に磁着体を設け、歯ブラシを逆吊りに取り付けるようにしたものである。さらに、特開平１０−３３７２１９号は、立体半円状の本体を設け、この本体に対して歯ブラシを放射状に支持させてブラシ部分が互いに接触しないようにしたものである。
【特許文献１】特開平１０−１５５６３８号（明細書０００７、図１）
【特許文献２】特開２００２−２３８７８６号（明細書０００７、図１）
【特許文献３】特開平１０−３３７２１９号（明細書０００７、図１）
【発明の開示】
【発明が解決しようとする課題】
【０００４】
上記特許文献１では、逆Ｌ字状の取付部６を介して周囲の壁面等に取り付けなければならず、壁面の位置に左右されて洗面台から遠かったり、高い部分であったり、滑面部分がない場合等には使いにくいという問題があった。また、使用後嵌合溝に歯ブラシを戻すと、未乾燥により液体が滴下して台上や床面を濡らしシミや汚れの原因となる問題があった。さらに、各嵌合溝間の台部２部分は、硬質の合成樹脂等である程度厚い板厚の支持柱として構成しているから、歯ブラシの挿着以外には使い途がなく、不便であった。また、特許文献２では、ハンガーや歯ブラシの柄端部に磁着体を取りつける必要があり、形状、大きさなどがそれぞれ異なる各歯ブラシ製造会社の製品をそのまま簡単に適用することができず、特注のマグネットなどが必要で、日用消耗品としては高価になりすぎて実用しにくいという問題がある。また、歯ブラシを鉛直にし、それらの下端側は支持するものがないからある程度互いに離れた位置に磁着取り付け位置を設定しなければならず、支持用の本体が洗面台周りに設置させるにしては大型化して実用に供し得ないという問題があった。さらに、特許文献３では、立体半円状の本体に対して歯ブラシを放射状に支持させて保持させるので、占有空間が大きく、スペースをとられすぎる上に、放射状の支持形態は変更しようがなく、せっけん箱や化粧液瓶等と干渉して邪魔になる場合が多かった。さらに、この文献３の歯ブラシ立てについても、液ダレして内部が汚れる場合にその洗浄が面倒で、また不衛生である問題があった。したがって、洗面台の近傍に簡単に安定して取り付けて衛生的に使用でき、しかも、その歯ブラシ類の保持状態で保持する角度を自由に調整できて、小さなスペース空間でも用いることができる歯ブラシ類のホルダの出現が待望されていた。また、単なる歯ブラシ類のホルダにとどまらず、洗面時等に取り外す身飾り品等の小物類の仮置きや装飾品の支持なども行える歯ブラシ類のホルダの出現が待望されていた。
【０００５】
本発明は、上記従来の課題に鑑みてなされたものであり、その１つの目的は、洗面台の近傍に簡単に安定して取り付けて衛生的に使用でき、しかも、その歯ブラシ類の保持状態で保持する角度を自由に調整できて、小さなスペース空間でも用いることができる歯ブラシ類のホルダ具を提供することにある。本発明の他の目的は、単なる歯ブラシ類のホルダにとどまらず、洗面台周りの花の支持ホルダとしても使用可能な歯ブラシ類のホルダ具を提供することである。さらに、本発明の他の目的は、歯ブラシ類の付属小物品ばかりでなく、洗面時等に取り外す身飾り品等の小物類の仮置き支持などを行える歯ブラシ類のホルダ具を提供することにある。
【課題を解決するための手段】
【０００６】
上記の目的を達成するために、本発明は、取り付け土台１２に固定されて立ち上がる小枝状支持杆１４と、小枝状支持杆の上端側に設けられ歯ブラシ２６類を係止させるホルダ部１６と、を含み、小枝状支持杆１４の中間位置に屈曲自在曲がり部２０を設けたことを特徴とする歯ブラシ類のホルダ具から構成される。小枝状支持杆はホルダ部を設置面から所要の高さ位置で支持するものであり、ホルダ部に係止させる歯ブラシ類、その他の物品の総重量の荷重を支持し得る強度の杆体である必要がある。硬質の合成樹脂や、金属、木、竹あるいは芯材の表面に合成樹脂を被着して強度を持たせたようなものでも良い。取り付け土台は、できる限り軽量で小型であると良いが、小枝状支持杆の基部側と固定されて小枝状支持杆の立ち上がり部を構成し得るものである。接着、ビス等の止め部材でもよいが、脱着自在に洗面台やシンク周りに設置できるものであるとよい。磁石部材を利用しても良いが、コストと脱着の容易性を考慮すると、吸盤部材がより好ましい。歯ブラシ類のホルダ部の構成も任意に選択してよいが、軽量で省スペースに資するものであるのが良い。
【０００７】
その際、ホルダ部１６は、小枝状支持杆１４の上端側に接続されたホルダ本体２２と、ホルダ本体に連接されて少なくとも歯ブラシの軸部２８を抜き差し自在に受け入れ、かつ差込時に弾性的に挟みつけ状に保持する一対または複数対の挟持杆２４を有するとよい。ホルダ本体の具体的構成は任意でよく、円形、三角、四角形状等で構成しても良いが、単に直線状の細長い杆部材で構成してもよい。挟持杆２４は、このホルダ本体に一体接続でも、外付けで別体に製作したものを取り付けても良い。機能を損なわない限度において、ホルダ本体と、挟持杆とは一体成形することにより量産を実現し、また、低コスト化を図れる。
【０００８】
また、挟持杆２４はホルダ本体２２から平行状に突設した２個の小杆３０と、これらの各小杆に設けられた規制突部３２と、を含むとよい。
【０００９】
さらに、ホルダ本体２２は小枝状支持杆１４の上端側に一体的に接続された細長片台からなるようにするとよい。
【００１０】
さらに、取り付け土台１２は、洗面台の任意位置に脱着自在な吸盤部材からなるようにするとよい。
【００１１】
さらに、本発明は、取り付け土台１２に固定されて立ち上がる小枝状支持杆１４と、小枝状支持杆の上端側に設けられ歯ブラシ類を係止させるホルダ部１６と、を含み、ホルダ部１６は、小枝状支持杆１４の上端側に接続されたホルダ本体２２と、ホルダ本体に連接されて少なくとも歯ブラシの軸部を抜き差し自在に受け入れ、かつ差込時に弾性的に挟みつけ状に保持する一対または複数対の挟持杆２４を有することを特徴とする歯ブラシ類のホルダ具から構成される。すなわち、小枝状支持杆１４に屈曲自在曲がりを設けない構成とした場合においても、挟持杆による軽量、省スペース、洗浄容易性等の効果を奏しうる。
【発明の効果】
【００１２】
本発明の歯ブラシ類のホルダ具は、取り付け土台に固定されて立ち上がる小枝状支持杆と、小枝状支持杆の上端側に設けられ歯ブラシ類を係止させるホルダ部と、を含み、小枝状支持杆の中間位置に屈曲自在曲がり部を設けることにより、洗面台の近傍に簡単に安定して取り付けて衛生的に使用でき、しかも、その歯ブラシ類の保持状態で保持する角度を自由に調整できて、小さなスペース空間でも用いることができる。また、日常的にシンク部分を使用するのに邪魔にならない最も適した位置に簡単に修正や、調整ができる。また、花などを支持させた場合に、シンクの近くに設置させてその香気を間近に受けて洗顔や歯磨きを行なえ、内装や精神安定効果も保持させることができる。
【００１３】
また、ホルダ部は、小枝状支持杆の上端側に接続されたホルダ本体と、ホルダ本体に連接されて少なくとも歯ブラシの軸部を抜き差し自在に受け入れ、かつ差込時に弾性的に挟みつけ状に保持する１または複数対の挟持杆を有する構成とすることにより、ホルダ部を軽量にしかつ多くの歯ブラシを保持することができるうえに、衛生的に収納しにくい歯間ブラシ、替え歯ブラシ、糸状楊枝等の歯ブラシ類の付属小物品を有効に保持させることが可能である。また、花の支持に際しても簡易な操作で行なえる。
【００１４】
また、挟持杆はホルダ本体から平行状に突設した２個の小杆と、これらの各小杆に設けられた規制突部と、を含む構成であるから、歯ブラシ類を係止させる操作を横方向からの軸部の差し入れ、抜き出しにより簡単に行なわせ、かつ、小杆どうしの間隙内に軸部を受け入れた際にその離脱を防止させることができる。
【００１５】
また、ホルダ本体は小枝状支持杆の上端側に一体的に接続された細長片台からなる構成であるから、小枝状支持杆とともに、ホルダ具全体の軽量化を達成でき、かつ、多くの歯ブラシ類の係止を可能とし得る。
【００１６】
また、取り付け土台は、洗面台の任意位置に脱着自在な吸盤部材からなる構成とすることにより、ホルダ具全体の軽量化を達成し、清掃作業の容易性、取り付け土台部分の小型化、省スペース化を具体的に実現することができる。
【００１７】
さらに、本発明の歯ブラシ類のホルダ具は、取り付け土台に固定されて立ち上がる小枝状支持杆と、小枝状支持杆の上端側に設けられ歯ブラシ類を係止させるホルダ部と、を含み、ホルダ部は、小枝状支持杆の上端側に接続されたホルダ本体と、ホルダ本体に連接されて少なくとも歯ブラシの軸部を抜き差し自在に受け入れ、かつ差込時に弾性的に挟みつけ状に保持する一対または複数対の挟持杆を有する構成であるから、ホルダ部を軽量にしかつ多くの歯ブラシを保持することができるうえに、衛生的に収納しにくい歯間ブラシ、替え歯ブラシ、糸状楊枝等の歯ブラシ類の付属小物品を有効に保持させることが可能である。また、花の茎部分を支持することにより、シンク周りに花等の軽量装飾品を簡単に設置させることができる。
【発明を実施するための最良の形態】
【００１８】
以下、添付図面を参照しつつ本発明を実施するための最良の形態について説明する。本発明は、洗面台やその周囲に配置される歯ブラシ類のホルダ具であり、歯ブラシに限らず、替え歯ブラシ、歯間ブラシ、糸状楊枝等の付属小物、花、身飾り品小物などの支持や仮支持に好適に用いられるホルダ手段である。図１ないし図３は、本実施形態の歯ブラシ類のホルダ具１０の実施形態を示しており、図1において、該歯ブラシ類のホルダ具は、取り付け土台１２に固定されて立ち上がる小枝状支持杆１４と、小枝状支持杆の上端側に設けられ歯ブラシ類を係止させるホルダ部１６と、を含む。取り付け土台は、洗面台のシンク１８の周囲や洗面台、あるいはその周囲の任意の壁面等に取り付ける取り付け手段であり、着脱自在にそれらの壁面や平面の上面に取り付けることができ、しかも取り付けられる側の平面や壁面に傷を残さない態様で脱着自在であるものが好ましい。本実施形態では、吸盤が設置されており、したがって、洗面台やシンク周り等の任意の位置に簡単に着脱自在に取り付けることができるようになっている。一般に、通常の洗面台やシンク周りの内装は化粧板上に塗装した滑面仕上げとなっている場合がほとんどであり、よって、吸盤を用いることにより簡単に取り付け得る。色彩や色調を変えるために洗面台周りを粗面あるいは凹凸状に仕上げる場合等もあるが、その場合には、吸盤用台シートを予め貼着させることによりとりつけることができる。あるいは、シンクは一般に滑面仕上げであるから、一体的に形成されたその縁部分に直接に吸着させてとりつけてもよい。
【００１９】
小枝状支持杆１４は、取り付け土台１２の取り付け位置からある程度の高さに立ち上がった状態でホルダ部１６を支持させる高さ支持手段であり、特に、本実施形態では、断面の周囲大きさが小枝のように小さな細長い丸棒状ロッド体から構成され、取り付け土台の取り付け位置からある程度の高さに立ち上がった部分を有するように取り付け土台１２に固定支持されている。この小枝状支持杆１４は、例えばパイプ部材などで構成しても良い。取り付け土台１２からある程度の高さでホルダ部１６を立ち上げ保持させた状態で、しかもそのホルダ部１６の空間位置や支持角度を自在に変更させることができるように支持するものであり、それに耐え得る程度の強度を有する素材や構造のものとするとよい。本実施形態において、小枝状支持杆１４は、その中間位置に設けた屈曲自在曲がり部２０を介して長手方向中間位置で曲げ、折れ曲がり、角度変更自在となっている。詳細には、この小枝状支持杆１４は、吸盤と一体的に成形連結された立ち上がり杆１４１と、後述するホルダ部側と一体的に形成された接続杆１４２と、を別個に成形し、それらの中間位置に例えば屈曲自在曲がり部２０としての金属製小形蛇腹部材を配置させてその両端側にそれぞれ立ち上がり杆１４１と、接続杆４２の一端側を連結させることにより、繰り返しの曲げや角度変更操作にも耐久性を保持し、さらに軽量の支持杆を構成し得る。屈曲自在曲がり部は、外部の力で任意の曲率に自在に曲げることができ、しかも力を解除したときにその曲げ状態を維持させる曲がり部であり、特に、立ち上がり杆１４１と、接続杆１４２との角度や曲げ方向を自在に変向させる。本実施形態において、例えば立ち上がり杆１４１の長さが１５ｃｍ程度、屈曲自在曲がり部の長さが４〜５ｃｍ程度、接続杆１４２の長さが５ｃｍ程度に設定されている。立ち上がり杆１４１や接続杆１４２は、例えば、合成樹脂などで製作すると軽量で、かつ低コストで製造し得る。また、軽量の金属、合金、合成紙、それらの撥水加工したものその他の素材を用いて製作するとよい。また、取り付け土台１２と立ち上がり杆１４１とを一体的に形成してもよく、その際、これを金属で構成し、重量だけで安定させて単に洗面台等の平面部分に載置させるだけで使用できるようにしても良い。また、立ち上がり杆１４１を金属製とし、その下端部に平面土台部を形成し、この平面土台部と吸盤とを連結固定させるようにしてもよい。また、屈曲自在曲がり部２０は、例えば硬質合成樹脂の成形品を蛇腹状に組み付けて屈曲自在構成としても良い。
【００２０】
ホルダ部１６は、基本的には歯ブラシの軸部を係止させる係止手段である。本実施形態において、該ホルダ部１６は、小枝状支持杆１４の上端側に一体に接続されたホルダ本体２２と、ホルダ本体に連接された一対または複数対の挟持杆２４と、を備えている。図１，３において、ホルダ本体２２は小枝状支持杆１４の上端側に一体的に接続された細長片台から構成されており、肉厚が小枝状支持杆の直径と略同程度で、幅がその肉厚の２倍程度の細長い角形の外形を呈している。本実施形態において、挟持杆２４は、少なくとも歯ブラシ２６の軸部２８を横方向から抜き差し自在に受け入れ、かつ差込時に弾性的に該軸部２８を挟みつけ状に保持する挟み付け保持手段であり、本実施形態では、直線状に細長い細長片台の一側面側から５対突設され、ホルダ本体２２から平行状に突設した２個の小杆３０と、これらの各小杆に設けられた規制突部３２と、を含む。小杆３０は、例えば５ｍｍ程度の直径の丸棒状短ロッドからなり、その先端に球状に膨張した規制突部３２が一体成形されている。２個の小杆３０の隙間部分が歯ブラシの軸部を横方向に抜き差し自在に受け入れ保持する受部を形成する。規制突部３２は、歯ブラシの軸部を小杆３０の間隙Ｓ内に配置した際の離脱防止ストッパである。実施形態において、小杆３０は、細長片台と同様の合成樹脂素材から一体成形され、図２のように歯ブラシの軸部２８を強圧的に差し入れると弾性的に規制突部３２間を開くように動き、小杆３０の間隙Ｓ内に収容された状態では弾性復元して、規制突部どうしの間が狭い状態となり歯ブラシの軸部を挟みつけて保持させる。このように、軸部を抜き差し自在に受け入れ、かつ差込時に弾性的に挟みつけ状に保持する挟持杆を備えているので、小杆３０間の間隙Ｓよりも大あるいは小の径の軸部を有するような小物類の係止が可能である。間隙Ｓよりも小さな軸部のものを係止させるには、例えば係止させる軸部に帯状の紙などを数回巻きつけて径を大きくさせることにより、係止させることができる。また、小杆３０自体は、例えば５ｍｍ程度のあるいはそれよりも大、小の径のものとすることとしても、例えば指輪やネックレス、アンクレット、ブローチ等を係止させることができる。また、歯ブラシの付属小物である例えば電動歯ブラシの替え歯ブラシ、糸状楊枝、歯間ブラシ等を確実に係止保持させることができる。また、造花は勿論であるが、生花もその茎部を挟み付け状に係止保持させることができる。この場合には、上述のように、その挟み付け部分に紙などを数回巻きつけて径の調整とともに、花の保護を行なうようにできる。特に、この花の簡単な係止を行なえるから、シャンプー、クリーム、せっけん箱などで無味乾燥となりがちな洗面台のシンクに近い部分の雰囲気を全く変えて豊かなものとさせることができる。特に、小枝状支持杆の中間位置が屈曲自在に曲がるので、シンクの縁部分などにも該ホルダ具を固定させて使用することにより、顔の近くに花の香気を放散し、従来と全く異なる豊かな気分にさせることができる。
【００２１】
本実施形態において、ホルダ本体２２の形状は、細長片台として直線状に細長い棒状体から構成しているが、この具体的形状は、サークル形状、三角、四角形状その他、任意に設定してよい。また、小枝状支持杆１４や、ホルダ本体、挟持杆は例えば金属、その他係止力を保持しうる範囲において任意の素材を選択しても良い。また、製造上可能であれば、機能を保持可能な限度において、小枝状支持杆は、屈曲自在曲がり部を含めて一体的に形成してよい。
【００２２】
上記の歯ブラシ類のホルダ具を使用するに際しては、軽量なホルダ具を把持して例えば図１のように流し台のシンク１８部の縁に吸盤を介して吸着固定させる。そして、小杆３０の間隙を貫通した方向に歯ブラシを配置させ、対向する２個の小杆３０の差込、抜き出し開口より、歯ブラシの軸部を横方向から差し込んで、開口を押し開き、小杆３０の間隙Ｓ内に収容させることにより、小杆の弾性復元力で歯ブラシの軸部を挟持し、保持させる。この場合、歯ブラシのブラシ部は、上方に向けられて係止される。屈曲自在曲がり部２０を介して小枝状支持杆１４の中間部分は任意の方向、角度、ねじれ関係について自在に曲がるので、取り付け後においても日常的にシンク部分を使用するのに邪魔にならない最も適した位置に簡単に修正や、調整ができる。挟持杆２４の小杆３０の径は小さく設定されており、したがって、図３のように、糸状楊枝４０、歯間ブラシ４１、替えブラシ２７等の歯ブラシ類付属品についても係止することができるとともに、指輪４２、ネックレス４３、腕輪、その他の身飾り品も簡易に支持させることができる。さらに、花４５なども仮支持が可能である。特に、本発明では、その屈曲自在曲がり部を介してシンク部の内側部分まで突設させた状態で保持できるから、花の香気を間近に感じることができるような設置なども可能である。さらに、洗面台の平面部上の任意の位置に自在に配置させることができる。この歯ブラシ類のホルダ具は、小枝状支持杆を高さ支持手段としているので、汚れを落したり、洗ったり、磨いたりする作業を簡単に行なえ、汚れの付かない状態として美観を保持できる。また、シンクあるいは洗面台周りを清潔に保持し得る。さらに、小枝状支持杆１４の屈曲自在曲がり部を介して、歯ブラシ類を保持したホルダ部の方向や角度を自由に調整できる結果、小さなスペース空間でも有効に用いることができる。
【００２３】
なお、図示を省略するが、上記の実施形態のうちで、取り付け土台１２に固定されて立ち上がる小枝状支持杆１４と、小枝状支持杆の上端側に設けられ歯ブラシ２６類を係止させるホルダ部１６と、を含み、ホルダ部１６は、小枝状支持杆１４の上端側に接続されたホルダ本体２２と、ホルダ本体に連接されて少なくとも歯ブラシの軸部２８を抜き差し自在に受け入れ、かつ差込時に弾性的に挟みつけ状に保持する一対または複数対の挟持杆２４を有する構成とし、前記の例のうちの屈曲自在曲がり部を設けない構成としてもよい。この場合においても、ホルダ部を軽量にしかつ多くの歯ブラシを保持することができるうえに、衛生的に収納しにくい歯間ブラシ、替え歯ブラシ、糸状楊枝等の歯ブラシ類の付属小物品を有効に保持させることが可能である。また、花の茎部分を支持することにより、シンク周りに花等の軽量装飾品を簡単に設置させることができる。
【産業上の利用可能性】
【００２４】
本発明の歯ブラシ類のホルダ具は、歯ブラシやその付属品である歯間ブラシ、糸状ブラシ等のホルダとして利用できるばかりでなく、洗顔時等に着用から外す指輪、めがね、ネックレス等の仮支持、さらには、花類のホルダとしても適用可能である。
【図面の簡単な説明】
【００２５】
【図１】本発明の実施形態に係る歯ブラシ類のホルダ具の構成兼作用説明図である。
【図２】図１の一部省略作用説明図である。
【図３】図１の歯ブラシ類のホルダ具に、種々の物品を係止させた状態を示す説明図である。
【符号の説明】
【００２６】
１０  歯ブラシ類のホルダ具
１２  取り付け土台
１４  小枝状支持杆
１６  ホルダ部
１８  シンク
２０  屈曲自在曲がり部
２２  ホルダ本体
２４  挟持杆
２６  歯ブラシ
２８  軸部
３０  小杆
【図１】
2005304878.tif 000003
【図２】
2005304878.tif 000004
【図３】
2005304878.tif 000005